(57)【要約】【課題】地図上の複数の位置の間の距離が分かりやすいように地図を表示する。【解決手段】第１の地図と第２の地図を並べて表示する表示部（２８）を備え、表示部（２８）は、第１の地図における第１の場所と第２の場所とを強調表示し、第２の地図における第３の場所と第４の場所とを強調表示し、第３の場所から第４の場所までの距離は、第１の場所から第２の場所までの距離と同じである。【選択図】図２
2018128591.tif 000002
【特許請求の範囲】
【請求項１】
第１の地図と第２の地図を並べて表示する表示部を備え、
上記表示部は、前記第１の地図における第１の場所と第２の場所とを強調表示し、前記第２の地図における第３の場所と第４の場所とを強調表示し、
前記第３の場所から前記第４の場所までの距離は、前記第１の場所から前記第２の場所までの距離と同じである
ことを特徴とする表示装置。
【請求項２】
前記第３の場所を基準とした前記第４の場所への方角は、前記第１の場所を基準とした前記第２の場所への方角と同じである
ことを特徴とする請求項１に記載の表示装置。
【請求項３】
前記表示部は、前記第１から第４の場所の少なくとも何れかを文字情報として表示する
ことを特徴とする請求項１または２に記載の表示装置。
【請求項４】
前記表示部は、前記第２の地図を回転させて表示し、当該回転された第２の地図における第３の場所と第４の場所とを強調表示する
ことを特徴とする請求項１〜３の何れか１項に記載の表示装置。
【請求項５】
請求項１〜４の何れか１項に記載の表示装置を備えることを特徴とするテレビジョン受像機。
【請求項６】
請求項１に記載の表示装置としてコンピュータを機能させるための表示制御プログラムであって、上記表示部としてコンピュータを機能させるための表示制御プログラム。
【請求項７】
請求項６に記載の表示制御プログラムを記録したコンピュータ読み取り可能な記録媒体。
【発明の詳細な説明】
【技術分野】
【０００１】
本発明は表示装置、テレビジョン受像機、表示制御プログラム、および記録媒体に関する。
【背景技術】
【０００２】
地図情報を表示する画面を２以上の画面に分割し、各々の画面に異なる地図情報を表示する表示装置が従来技術として知られている（例えば特許文献１）。
【先行技術文献】
【特許文献】
【０００３】
【特許文献１】特開平１０−１３３５７０号公報（１９９８年５月２２日公開）
【発明の概要】
【発明が解決しようとする課題】
【０００４】
例えば生活圏外の地域等の土地鑑（土地勘とも表記される）の無い地域の地図上の複数の位置を示されたとしても、各々の位置がどれだけ離れているかが分かりにくい。このように地図上の複数の位置がどれだけ離れているかを分かりやすいように地図を表示する技術が求められている。
【０００５】
本発明の一態様は、地図上の複数の位置の間の距離が分かりやすいように地図を表示することを目的とする。
【課題を解決するための手段】
【０００６】
上記の課題を解決するために、本発明の一態様に係る表示装置は、第１の地図と第２の地図を並べて表示する表示部を備え、上記表示部は、前記第１の地図における第１の場所と第２の場所とを強調表示し、前記第２の地図における第３の場所と第４の場所とを強調表示し、前記第３の場所から前記第４の場所までの距離は、前記第１の場所から前記第２の場所までの距離と同じである。
【発明の効果】
【０００７】
本発明の一態様によれば、地図上の２つの場所の間の距離が分かりやすい、という効果を奏する。
【図面の簡単な説明】
【０００８】
【図１】本発明の実施形態１に係る表示装置の外観を示す図である。
【図２】本発明の実施形態１に係る表示装置の要部構成の一例を示すブロック図である。
【図３】本発明の実施形態１に係る表示装置が実行する処理の一例を示すフローチャートである。
【図４】本発明の実施形態１に係る表示装置が表示する画像の遷移の一例である。
【図５】本発明の実施形態１に係る表示装置が表示する画像の一例である。
【図６】本発明の実施形態２に係る表示装置が実行する処理の一例を示すフローチャートである。
【図７】本発明の実施形態２に係る表示装置が表示する画像の一例である。
【図８】本発明の実施形態３に係る表示装置の外観を示す図である。
【図９】本発明の実施形態３に係る表示装置の要部構成の一例を示すブロック図である。
【図１０】本発明の実施形態３に係る表示装置が実行する処理の一例を示すフローチャートである。
【図１１】本発明の実施形態３に係る表示装置が表示する画像の一例である。
【発明を実施するための形態】
【０００９】
〔実施形態１〕
本発明の一実施形態について図１から図５に基づいて説明する。
【００１０】
図１は、本実施形態に係る表示装置１ａの外観を示す図である。本実施形態において、表示装置１ａは、スマートフォン、タブレット端末等の携帯情報端末である。表示装置１ａは、タッチパネル２４を備えている。
【００１１】
図２は、本実施形態に係る表示装置１ａの要部構成の一例を示すブロック図である。図２に示すように、表示装置１ａは、制御部１０、通信部２０、測位部２２、タッチパネル２４、および記憶部３０を備える。
【００１２】
通信部２０は、インターネット等の通信網と接続し、データ通信を行う。また、通信部２０は、地図を示す情報である地図情報を取得する地図情報取得部として機能する。
【００１３】
測位部２２は、表示装置１ａの現在位置を、例えばＧＰＳを利用して測位する。
【００１４】
タッチパネル２４は、タッチセンサ部２６、および表示部２８を含む。
【００１５】
タッチセンサ部２６は、ユーザーがタッチした位置を検出するセンサである。
【００１６】
表示部２８は、液晶ディスプレイ等の表示デバイスである。
【００１７】
記憶部３０は、データ、プログラムの格納領域であり、フラッシュメモリ等から構成される。記憶部３０は、基準位置情報保存領域３２、および地図情報保存領域３４を含む。
【００１８】
制御部１０は、目的地情報取得部１１、起点位置情報取得部１２、基準位置情報取得部１３、距離算出部１４、方角算出部１５、対応位置算出部１６、および表示制御部１７として機能する。
【００１９】
目的地情報取得部１１は、通信部２０が受信したデータに含まれる目的地を示す情報、またはユーザーが入力し、タッチセンサ部２６が検出した目的地を示す情報を取得する。目的地情報取得部１１は、通信部２０が受信した緊急速報に含まれる位置を示す情報を、目的地を示す情報として取得してもよい。
【００２０】
起点位置情報取得部１２は、測位部２２が測位した現在位置を示す情報、またはユーザーが入力し、タッチセンサ部２６が検出した起点としたい位置を示す情報を、起点位置を示す情報として取得する。
【００２１】
基準位置情報取得部１３は、基準位置情報保存領域３２に格納されている基準位置を示す情報、またはユーザーが入力し、タッチセンサ部２６が検出した基準位置を示す情報を取得する。
【００２２】
距離算出部１４は、目的地情報取得部１１が取得した目的地を示す情報、および起点位置情報取得部１２が取得した起点位置を示す情報を参照して、起点位置と目的地との距離を算出する。
【００２３】
方角算出部１５は、目的地情報取得部１１が取得した目的地を示す情報、および起点位置情報取得部１２が取得した起点位置を示す情報を参照して、起点位置から目的地に向かう方角を算出する。
【００２４】
対応位置算出部１６は、基準位置情報取得部１３が取得した基準位置を示す情報、距離算出部１４が算出した距離、方角算出部１５が算出した方角、および地図情報保存領域３４に保存されている地図情報から、基準位置を参照して、起点位置から目的地に向かう方角に、起点位置と目的地との距離だけ離れた対応位置を算出する。ただし、算出した対応位置が、海上等の、起点位置と目的地との位置関係がかえってわかりにくくなるような不適切な位置であった場合は、起点位置と目的地との距離だけ基準位置から離れた位置を対応位置として再度算出する。
【００２５】
表示制御部１７は、表示部２８の表示を制御する。表示制御部１７は、第１の場所としての起点位置と第２の場所としての目的地を含む第１の地図と、第３の場所としての基準位置と第４の場所としての対応位置とを含む第２の地図を並べて表示させる。表示制御部１７は、第１の地図の縮尺と第２の地図の縮尺とを同じ縮尺で表示させる。また、表示制御部１７は、第１の地図における起点位置から目的地に向かう方向と、第２の地図における基準位置から対応位置に向かう方向とが同じになるように、第１の地図と第２の地図を表示させる。すなわち、起点位置から目的地に向かう方角と、基準位置から対応位置に向かう方角とが異なる場合は、第２の地図を回転させて表示させる。これにより、例えば、表示制御部１７は、第１の地図は北が上になるように表示され、第２の地図は北東が上になるように表示させる。また、表示制御部１７は、起点位置から目的地に向かう方角と、基準位置から対応位置に向かう方角とが異なる場合は、起点位置と目的地との距離、および起点位置から目的地に向かう方角を付随的に表示する。また、表示制御部１７は、第１の地図における起点位置と目的地とを強調表示し、第２の地図における基準位置と対応位置とを強調表示させる。
【００２６】
続いて、図３〜４を参照して、本実施形態に係る表示装置１ａにおける制御を説明する。図３は、本実施形態に係る表示装置１ａにおける制御の一例を説明するフローチャートである。また、図４は、表示部２８が表示する画面の遷移の一例を示す。
【００２７】
制御が開始すると、図４の（ａ）に示すように、表示制御部１７は、表示部２８に地図を表示させる。
【００２８】
ステップＳ２０において、目的地情報取得部１１は、通信部２０またはタッチセンサ部２６から目的地を示す情報を取得する。目的地情報取得部１１が目的地を示す情報を取得すると、図４の（ｂ）に示すように、表示制御部１７は、表示部２８に目的地の地名（本例においては「矢板」）を表示させる。さらに、図４の（ｃ）に示すように、表示制御部１７は、地図における目的地を星印で強調表示させる。
【００２９】
ステップＳ２２において、起点位置情報取得部１２は、測位部２２またはタッチセンサ部２６から起点位置を示す情報を取得する。起点位置情報取得部１２が起点位置を示す情報を取得すると、図４の（ｄ）に示すように、表示制御部１７は、表示部２８に起点位置の地名（本例においては「東京」）を表示させる。さらに、図４の（ｅ）に示すように、表示制御部１７は、地図における起点位置を星印で強調表示させる。また、図４の（ｅ）に示すように、表示制御部１７は、比較表示するための基準となる基準位置の入力を促す画像を表示させる。
【００３０】
ステップＳ２４において、基準位置情報取得部１３は、比較表示するための基準となる基準位置を、ユーザーが入力し、タッチセンサ部２６が検出した内容に応じて取得する。本例においては、ユーザーは、「いつもの場所と」を選択しており、表示制御部１７は、図４の（ｆ）に示すように、「いつもの場所と」を強調表示する。
【００３１】
ステップＳ２６において、距離算出部１４は、ステップＳ２０において目的地情報取得部１１が取得した目的地を示す情報、およびステップＳ２２において起点位置情報取得部１２が取得した起点位置を示す情報を参照して、起点位置と目的地との距離を算出する。
【００３２】
ステップＳ２８において、方角算出部１５は、ステップＳ２０において目的地情報取得部１１が取得した目的地を示す情報、およびステップＳ２２において起点位置情報取得部１２が取得した起点位置を示す情報を参照して、起点位置から目的地に向かう方角を算出する。
【００３３】
ステップＳ３０において、対応位置算出部１６は、ステップＳ２４において基準位置情報取得部１３が取得した基準位置を示す情報、ステップＳ２６において距離算出部１４が算出した距離、およびステップ２８において方角算出部１５が算出した方角を参照して、基準位置から、起点位置から目的地に向かう方角に、起点位置と目的地との距離だけ離れた対応位置を算出する。
【００３４】
ステップＳ３２において、表示制御部１７は、表示部２８に、起点位置と目的地を含む第１の地図と、基準位置と対応位置とを含む第２の地図を並べて表示させる。また、表示制御部１７は、第１の地図における起点位置と目的地とを強調表示し、第２の地図における基準位置と対応位置とを強調表示させる。
【００３５】
ステップＳ２４において、図４の（ｆ）に示すように、ユーザーが「いつもの場所（本例においては「亀山」）と」を選択した場合には、対応位置算出部１６は、対応位置は「勝山」と算出する。そして、表示制御部１７は、図４の（ｇ−１）に示すように、東京と矢板を含む第１の地図を左側に表示するとともに、亀山と勝山とを含む第２の地図を右側に並べて表示させる。
【００３６】
ステップＳ２４において、ユーザーが比較表示するための基準となる位置として「浜松」を選択した場合には、対応位置算出部１６は、対応位置は「伊那」と算出する。そして、表示制御部１７は、図４の（ｇ−２）に示すように、東京と矢板を含む第１の地図を左側に表示するとともに、浜松と伊那とを含む第２の地図を右側に並べて表示させる。
【００３７】
図５に、本実施形態に係る表示装置１ａの表示部の他の表示例を示す。例えば大阪在住のユーザーが、東京にいるときに、「福島浜通りで地震発生」との緊急速報を表示装置１ａにて受信したとする。制御部１０は、各々の機能により、東京と福島浜通りとの位置関係が、大阪と金沢との位置関係に対応することを算出する。そして、表示部２８ａは、図５に示すように、東京と福島浜通りを含む第１の地図と、大阪と金沢とを含む第２の地図を並べて表示する。また、表示部２８ａは、地図上の、東京、福島浜通り、大阪、および金沢の各々に該当する場所を強調表示する。大阪在住のユーザーにとって東京およびその周辺が土地鑑のない場所であった場合、ユーザーは東京から福島浜通りがどのくらい離れているのかがすぐに分からない。本実施形態は、通常生活している生活圏に土地鑑のない２つの場所を置き換えて表示するので、土地鑑のない２つの場所の位置関係が直感的に分かりやすくなる。
【００３８】
また、図５に示すように、各々の地図の左上部に、第１の場所としての起点位置、および第３の場所としての基準位置を文字情報として表示してもよい。なお、図５には、第１の場所としての起点位置、および第３の場所としての基準位置のみを文字情報として表示しているが、第１の場所としての起点位置、第２の場所としての目的地、第３の場所としての基準位置、および第４の場所としての対応位置の少なくとも何れかを文字情報として表示してもよい。
【００３９】
〔実施形態２〕
本発明の他の実施形態について、図６〜図７に基づいて説明すれば、以下のとおりである。なお、本実施例に係る表示装置は、実施形態１にて説明した部材と同じ機能を有する部材を備えているので、部材については、その説明を省略する。
【００４０】
図６は、本実施形態に係る表示装置における制御の一例を説明するフローチャートである。
【００４１】
本実施形態のステップＳ５０〜ステップＳ５４、およびステップＳ５８〜ステップＳ６４は、実施形態１の図３に示すステップＳ２０〜ステップＳ３２に対応する。
【００４２】
本実施形態においては、目的地情報取得部１１が、目的地を示す情報を複数取得する。
【００４３】
ステップ５４において基準位置情報取得部１３が比較表示するための基準となる基準位置を取得すると、ステップ５６に移行する。
【００４４】
ステップ５６において、制御部１０は、複数の目的地について、対応位置が算出されていない目的地が存在するか否かを判定する。ステップ５６において制御部１０が対応位置を算出していない目的地が存在すると判定する（ＹＥＳ）と、制御部１０は、ステップＳ５８〜ステップＳ６２の処理を実行する。ステップ５６において制御部１０が対応位置を算出していない目的地が存在しないと判定する（ＮＯ）と、ステップＳ６４に移行し、表示制御部１７は、表示部２８に、複数の場所が強調表示された２つの地図を並べて表示させる。
【００４５】
図７に、本実施形態に係る表示装置の表示部の表示例を示す。例えば宇都宮在住のユーザーが、ローマを旅行するとする。ユーザーは、タッチパネル２４を介して、ローマでの訪問地（（１）トレヴィの泉、（２）パンテオン、（３）ヴァチカン、（４）フォロ・ロマーノ、および（５）コロッセオ）を入力する。これに応じて目的地情報取得部１１は、各々の目的地を示す情報を取得する。また、ユーザーは、タッチパネル２４を介して（５）コロッセオを起点位置として指定する。これに応じて起点位置情報取得部１２は、（５）コロッセオを示す情報を、起点位置を示す情報として取得する。そして、制御部１０は、各々の機能により、（５）コロッセオと、（１）トレヴィの泉、（２）パンテオン、（３）ヴァチカン、および（４）フォロ・ロマーノの各々との位置関係が、（５）ＪＲ宇都宮駅と、（１）八幡山公園、（２）県庁、（３）作新学院、および（４）大通りと宇商通りの交差点の各々との位置関係に対応することを算出する。そして、表示部２８ｂは、図７に示すように、（１）トレヴィの泉、（２）パンテオン、（３）ヴァチカン、（４）フォロ・ロマーノ、および（５）コロッセオの各々を含む第１の地図と、（１）八幡山公園、（２）県庁、（３）作新学院、（４）大通りと宇商通りの交差点、および（５）ＪＲ宇都宮駅の各々とを含む第２の地図を並べて表示する。また、表示部２８ｂは、各々の地図上の（１）トレヴィの泉、（２）パンテオン、（３）ヴァチカン、（４）フォロ・ロマーノ、（５）コロッセオ、（１）八幡山公園、（２）県庁、（３）作新学院、（５）大通りと宇商通りの交差点、および（５）ＪＲ宇都宮駅の各々に該当する場所を強調表示するとともに、数字も表示する。宇都宮在住のユーザーにとってローマが土地鑑のない場所であった場合、（５）コロッセオから（１）トレヴィの泉、（２）パンテオン、（３）ヴァチカン、および（４）フォロ・ロマーノの各々がどのくらい離れているのかがすぐに分からない。本実施形態によれば、通常生活している生活圏に土地鑑のない５つの場所を置き換えて表示するので、土地鑑のない５つの場所の位置関係が直感的に分かりやすくなる。
【００４６】
〔実施形態３〕
本発明の他の実施形態について、図８〜図１１に基づいて説明すれば、以下のとおりである。なお、説明の便宜上、前記実施形態にて説明した部材と同じ機能を有する部材については、同じ符号を付記し、その説明を省略する。
【００４７】
図８は、本実施形態に係る表示装置１ｃの外観を示す図である。本実施形態において、表示装置１ｃは、テレビジョン受像機である。表示装置１ｃは、表示部２８ｃを備えている。
【００４８】
図９は、本実施形態に係る表示装置１ｃの要部構成の一例を示すブロック図である。図９に示すように、表示装置１ｃは、表示部２８ｃの他に、制御部１０ｃ、記憶部３０ｃ、放送受信部３８、およびリモコン受信部４０を備える。
【００４９】
記憶部３０ｃは、地図情報保存領域３４、および起点位置情報保存領域３６を含む。
【００５０】
起点位置情報保存領域３６は、表示装置１ｃが設置されている位置を示す情報を、起点位置を示す情報として格納している。
【００５１】
放送受信部３８は、チューナーであり、放送チャンネル信号を受信する。
【００５２】
本実施形態における目的地情報取得部１１ｃは、放送受信部３８が緊急速報を含む信号を受信した場合、緊急速報に含まれる位置を示す情報を、目的地を示す情報として取得する。
【００５３】
リモコン受信部４０は、ユーザーが操作するリモートコントローラからユーザーの操作に応じた信号を受信する。ユーザーは、リモートコントローラの操作により、基準位置を指定することができる。
【００５４】
本実施形態における基準位置情報取得部１３ｃは、リモコン受信部４０を介して、基準位置を示す情報を取得する。複数のユーザーが各々の基準位置を指定した場合、基準位置情報取得部１３ｃは、基準位置を示す情報を複数取得する。
【００５５】
図１０は、本実施形態に係る表示装置１ｃにおける制御の一例を説明するフローチャートである。
【００５６】
本実施形態のステップＳ８０〜ステップＳ８４、およびステップＳ８８〜ステップＳ９４は、実施形態１の図３に示すステップＳ２０〜ステップＳ３２に対応する。
【００５７】
本実施形態においては、基準位置情報取得部１３ｃが、基準位置を示す情報を複数取得する。
【００５８】
ステップ８４において基準位置情報取得部１３ｃが比較表示するための基準となる基準位置を取得すると、ステップ８６に移行する。
【００５９】
ステップ８６において、制御部１０は、複数の基準位置について、対応位置が算出されていない基準位置が存在するか否かを判定する。ステップ８６において制御部１０ｃが対応位置を算出していない基準位置が存在すると判定する（ＹＥＳ）と、制御部１０ｃはステップＳ８８〜ステップＳ９２の処理を実行する。ステップ８６において制御部１０ｃが対応位置を算出していない基準位置が存在しないと判定する（ＮＯ）と、ステップＳ９４に移行し、表示制御部１７は複数の地図を並べて表示させる。
【００６０】
図１１に、本実施形態に係る表示装置１ｃの表示部２８ｃの表示例を示す。例えば、第１の都市（例えば東京）において、第２の都市（例えば大阪）に住むユーザーと第３の都市（例えば北京）に住むユーザーとが表示を視聴している表示装置１ｃが、図１１の（ａ）に示すように「浜通りで地震発生」との緊急速報を受信したとする。第２の都市に住むユーザーと第３の都市に住むユーザーの各々は、リモートコントローラを操作して、「第２の都市」、「第３の都市」を基準位置として指定する。これに応じて、基準位置情報取得部１３ｃは、リモコン受信部４０を介して、第２の都市を示す情報、および第３の都市を示す情報を、基準位置を示す情報として取得する。対応位置算出部１６は、第２の都市を基準位置とする対応位置、および第３の都市を基準位置とする対応位置の各々を算出する。そして、表示部２８ｃは、図１１の（ｂ）に示すように、第１の都市を起点位置として含む地図、第２の都市を基準位置として含む地図、および第３の都市を基準位置として含む地図を表示する。また、表示部２８ｃは、各々の地図上の起点位置、目的地、基準位置の各々、対応位置の各々を強調表示する。本実施形態によれば、居住地が異なるユーザーが複数人いる場合、各々の居住地を基準位置として含む地図を各々表示するので、各々のユーザーは土地鑑のない２つの場所の位置関係が直感的に分かりやすくなる。
【００６１】
なお、本実施形態においては、ユーザーがリモートコントローラを操作することにより、基準位置情報取得部１３ｃは、基準位置を示す情報を取得しているが、基準位置を示す情報の取得方法はこれに限らない。例えば表示装置が設置されている場所がホテルである場合、ホテルの従業員が、宿泊者の住所を示す情報を、表示装置に入力してもよい。
【００６２】
〔ソフトウェアによる実現例〕
表示装置１ａ，１ｃの制御ブロック（特に対応位置算出部１６および表示制御部１７）は、集積回路（ＩＣチップ）等に形成された論理回路（ハードウェア）によって実現してもよいし、ＣＰＵ（Central Processing Unit）を用いてソフトウェアによって実現してもよい。
【００６３】
後者の場合、表示装置１ａ，１ｃは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６４】
〔まとめ〕
本発明の態様１に係る表示装置１ａ，１ｃは、第１の地図と第２の地図を並べて表示する表示部２８，２８ｃを備え、上記表示部２８，２８ｃは、前記第１の地図における第１の場所と第２の場所とを強調表示し、前記第２の地図における第３の場所と第４の場所とを強調表示し、前記第３の場所から前記第４の場所までの距離は、前記第１の場所から前記第２の場所までの距離と同じである。
【００６５】
上記の構成によれば、地図上の２つの場所の間の距離が分かりやすい。
【００６６】
本発明の態様２に係る１ａ，１ｃは、上記態様１において、前記第３の場所を基準とした前記第４の場所への方角は、前記第１の場所を基準とした前記第２の場所への方角と同じであってもよい。
【００６７】
上記の構成によれば、地図上の２つの場所の位置関係が分かりやすい。
【００６８】
本発明の態様３に係る１ａ，１ｃは、上記態様１または２において、前記表示部２８，２８ｃは、前記第１から第４の場所の少なくとも何れかを文字情報として表示してもよい。
【００６９】
上記の構成によれば、地図と文字情報との両方を視認できるので、場所がわかりやすい。
【００７０】
本発明の態様４に係る１ａ，１ｃは、上記態様１〜３の一態様において、前記表示部２８，２８ｃは、前記第２の地図を回転させて表示し、当該回転された第２の地図における第３の場所と第４の場所とを強調表示してもよい。
【００７１】
上記の構成によれば、第３の場所を基準とした第４の場所への方角が、第１の場所を基準とした第２の場所への方角と異なる場合、第２の地図を回転させて表示することにより、地図上の２つの場所の位置関係がより分かりやすい。
【００７２】
本発明の各態様に係る表示装置１ａ，１ｃは、コンピュータによって実現してもよく、この場合には、コンピュータを上記表示装置１ａ，１ｃが備える各部（ソフトウェア要素）として動作させることにより上記表示装置をコンピュータにて実現させる表示装置の表示制御プログラム、およびそれを記録したコンピュータ読み取り可能な記録媒体も、本発明の範疇に入る。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７４】
１ａ，１ｃ  表示装置
１６  対応位置算出部
１７  表示制御部
２８，２８ｃ  表示部
【図１】
2018128591.tif 000003
【図２】
2018128591.tif 000004
【図３】
2018128591.tif 000005
【図４】
2018128591.tif 000006
【図５】
2018128591.tif 000007
【図６】
2018128591.tif 000008
【図７】
2018128591.tif 000009
【図８】
2018128591.tif 000010
【図９】
2018128591.tif 000011
【図１０】
2018128591.tif 000012
【図１１】
2018128591.tif 000013